(57)【要約】  開口部およびベース嵌合端を有する容器上部と、上端および下端を有するベース嵌合バンドと、上部嵌合端およびベース底部を有する着脱ベースとを含む再封式容器。上記容器の内容物を正確かつ制御的に分配することを可能とする狭い開口部を有すると共に、上記再封式容器を充満させ、洗浄し、または当該再封式容器に内容物を追加しやすくするために、上記容器の内部への進入が改善された着脱ベースも有する再封式容器を提供するために、上記容器上部の上記ベース嵌合端は上記ベース嵌合バンドの上記上端に取り付けられてもよく、上記ベース嵌合バンドの上記下端は、上記着脱ベースの上記上部嵌合端に着脱可能に嵌合するように構成されてもよい。
2017509555.tif 000002
【特許請求の範囲】
【請求項１】
開口部およびベース嵌合端を有する容器上部と、
上端および下端を有するベース嵌合バンドと、
上部嵌合端およびベース底部を有する着脱ベースとを備える再封式容器であって、
上記容器上部の上記ベース嵌合端は、上記ベース嵌合バンドの上記上端に取り付けられ、上記ベース嵌合バンドの上記下端は、上記着脱ベースの上記上部嵌合端と着脱可能に嵌合するように構成されていることを特徴とする再封式容器。
【請求項２】
上記再封式容器は、プラスチック、アルミニウム、ステンレススチール及びそれら任意の組み合わせからなる群から選択される材料から作られていることを特徴とする、請求項１に記載の再封式容器。
【請求項３】
上記プラスチックは、高密度ポリエチレン（ＨＤＰＥ）、低密度ポリエチレン（ＬＤＰＥ）、ポリプロピレン（ＰＰ）、及びトリタンからなる群から選択されることを特徴とする、請求項２に記載の再封式容器。
【請求項４】
再封式閉止機構をさらに備えることを特徴とする、請求項１に記載の再封式容器。
【請求項５】
上記再封式閉止機構は、ラッチキャップ、スクリューキャップ、ツイストロックキャップ、及びネジキャップからなる群から選択されることを特徴とする、請求項４に記載の再封式容器。
【請求項６】
上記ベース嵌合バンドは、ネジ接合、ツイストロック接合、スナップロック接合、及び摩擦嵌合接合からなる群から選択される嵌合接合によって、上記着脱ベースの上記上部嵌合端に着脱可能に嵌合するように構成されていることを特徴とする、請求項１に記載の再封式容器。
【請求項７】
上記ベース嵌合バンドは、ネジ嵌合接合によって、上記着脱ベースの上記上部嵌合端に着脱可能に嵌合するように構成されていることを特徴とする、請求項１に記載の再封式容器。
【請求項８】
上記容器上部の上記ベース嵌合端は、機械的締結、融着接合、ホットガス溶接、振動溶接、超音波溶接、誘導溶接、誘電溶接、または溶剤溶接によって、上記ベース嵌合バンドの上記上端に取り付けられていることを特徴とする、請求項１に記載の再封式容器。
【請求項９】
上記容器上部の上記ベース嵌合端は、超音波溶接によって、上記ベース嵌合バンドの上記上端に取り付けられていることを特徴とする、請求項１に記載の再封式容器。
【発明の詳細な説明】
【発明の詳細な説明】
【０００１】
〔関連出願〕
本願は、米国仮出願６１／９４３，２７５（出願日：２０１４年２月２１日）の優先権の利益を主張し、上記出願の全体の内容が参照することによって本明細書に完全に組み込まれるものとする。
【０００２】
〔開示の背景〕
１．（開示の分野）
本開示は容器に関し、特に、着脱ベースを有する再封式容器に関する。
２．（関連技術の説明）
流体（例えば、水、ジュース、スポーツドリンクなど）及び固体（例えば、砂糖、塩、香辛料など）用の容器は、例えば飲料及び食料品の貯蔵など様々な目的のために広く用いられている。そのような容器は、その容器からの流体及び固体の正確かつ制御された放出を促すために、開口部が狭いことが多い。残念なことに、容器の開口部が狭いことによって、容器の内部への進入が難しくなる。例えば、容器の開口部が狭いことによって、容器を充満させたり、洗浄することが難しくなる。さらに、容器の開口部が狭いことによって、容器に追加物（例えば、砂糖、調味料、氷など）を追加することが難しくなる。したがって、容器の内部への進入が改善された再封式容器が求められている。
【０００３】
〔開示の概要〕
本開示は容器に関し、特に、着脱ベースを有する再封式容器に関する。
【０００４】
一様態において、本開示は、開口部とベース嵌合端とを有する容器上部と、上端と下端とを有するベース嵌合バンドと、上部嵌合端とベース底部とを有する着脱ベースとを含む再封式容器を提供する。上記容器の内容物を正確かつ制御された方法で分配することを可能とする狭い開口部を有すると共に、上記再封式容器を充満させ、洗浄し、または当該再封式容器に内容物を追加しやすくするために上記容器の内部への進入が改善された着脱ベースも有する再封式容器を提供するために、上記容器上部の上記ベース嵌合端は上記ベース嵌合バンドの上記上端に取り付けられてもよく、上記ベース嵌合バンドの上記下端は、上記着脱ベースの上記上部嵌合端に着脱可能に嵌合するように構成されてもよい。
【０００５】
一実施形態において、本開示は、プラスチック、アルミニウム、ステンレススチール、及びそれらの任意の組み合わせからなる群から選択される材料から作られる再封式容器を提供する。好ましい実施形態において、上記材料は、高密度ポリエチレン（ＨＤＰＥ）、低密度ポリエチレン（ＬＤＰＥ）、ポリプロピレン（ＰＰ）、及びトリタンからなる群から選択されるプラスチックである。より好ましい実施形態においては、上記プラスチックはトリタンである。
【０００６】
他の実施形態において、本開示は、ラッチキャップ、スクリューキャップ、ツイストロックキャップ、及びネジキャップからなる群から選択される再封式閉止機構を有する再封式容器を提供する。好ましい実施形態において、上記再封式閉止機構はラッチキャップである。
【０００７】
他の実施形態において、本開示は、ネジ接合、ツイストロック接合、スナップロック接合、及び摩擦嵌合接合からなる群から選択される嵌合接合によって、上記着脱ベースの上記上部嵌合端に着脱可能に嵌合するように構成されているベース嵌合バンドを提供する。好ましい実施形態において、上記ベース嵌合バンドは、ネジ嵌合接合によって、上記着脱ベースの上記上部嵌合端に着脱可能に嵌合するように構成されている。
【０００８】
他の実施形態において、本開示は、上記容器上部の上記ベース嵌合端が、機械的締結、融着接合、ホットガス溶接、振動溶接、超音波溶接、誘導溶接、誘電溶接または溶剤溶接によって、上記ベース嵌合バンドの上記上端に取り付けられることを提供する。好ましい実施形態において、上記容器上部の上記ベース嵌合端は、超音波溶接によって、上記ベース嵌合バンドの上記上端に取り付けられている。
【０００９】
上述の概略的な説明及び下記の詳細な説明は、例示及び説明するためのものに過ぎず、特許請求される本開示に対してさらなる説明を提供するためのものであることが理解されるべきである。
【００１０】
〔図面の簡単な説明〕
下記の詳細な説明及び添付の図面により、本開示の目的、特徴及び利点がさらに明らかになるであろう。
【００１１】
図１は、本開示の例示的な実施形態に係る、着脱ベースを有する再封式容器の分解組立図である。
【００１２】
図２は、本開示の例示的な実施形態に係る、着脱ベースを有する再封式容器の正面図である。
【００１３】
図３は、本開示の例示的な実施形態に係る、着脱ベースを有する再封式容器の側面図であって、着脱ベースを再封式容器に固定するための連結を図示する挿入図を含む。
【００１４】
図４は、本開示の例示的な実施形態に係る、着脱ベースを有する再封式容器の底面図である。
【００１５】
図５は、本開示の他の例示的な実施形態に係る、着脱ベースを有する再封式容器の側面図であって、着脱ベースを再封式容器に固定するための連結を図示する挿入図を含む。
【００１６】
図６は、本開示の他の例示的な実施形態に係る、着脱ベースを有する再封式容器の正面図である。
【００１７】
図７は、本開示の他の例示的な実施形態に係る、着脱ベースを有する再封式容器の側面断面図であって、着脱ベースを再封式容器に固定するための連結を図示する挿入図を含む。
【００１８】
〔発明の詳細な説明〕
本開示は容器に関し、特に、着脱ベースを有する再封式容器に関する。有利には、本開示は、容器の内容物を正確かつ制御された方法で分配することを可能とする狭い開口部と、使用者が上記再封式容器を充満させ、洗浄し、または当該再封式容器に内容物（例えば、砂糖、調味料、角氷など）の追加を行うための利便性を促進するために、上記容器の内部への進入が改善された着脱ベースとを有する再封式容器を提供する。これによって、容器の開口部が狭いがために、容器の内部への進入が困難であるという長年の課題に対する解決策が提供される。
【００１９】
図１〜３を参照すると、本開示に係る再封式容器１０は、着脱ベース２０と、容器ガスケット３０と、ベース嵌合バンド４０と、容器上部５０とを含む。着脱ベース２０は、ベース底端２２と上部嵌合端２４とを含み、容器上部５０は、ベース嵌合端５２と開口部５４とを含む。着脱ベース２０は、本技術分野において公知である複数の嵌合接合（例えば、ネジ接合、ツイストロック接合、スナップロック接合、摩擦嵌合接合など）のうちの任意の嵌合接合によって、下端４２と上端４４とを含むベース嵌合バンド４０を介して容器上部５０と嵌合するように構成されてもよい。
【００２０】
図１は、再封式容器１０の嵌合部４６の分解組立図を示しており、容器上部５０のベース嵌合端５２が、ベース嵌合バンド４０の上端４４に（例えば、機械的締結、融着接合、ホットガス溶接、振動溶接、超音波溶接、誘導溶接、誘電溶接、溶剤溶接などによって）取り付け可能であることを示しており、一方で、ベース嵌合バンド４０の下端４２は、例えばネジ接合４８の嵌合接合によって、着脱ベース２０の上部嵌合端２４に嵌合されてもよい。
【００２１】
図１の例示的な実施形態では、ベース嵌合バンド４０の下端４２と、着脱ベース２０の上部嵌合端２４との間に嵌合接合が示されているが、容器上部５０のベース嵌合端５２と、ベース嵌合バンド４０の上端４４との間に嵌合接合を配置できることも、本開示の範囲に含まれると考えられる。他の実施形態において、嵌合接合をベース嵌合バンド４０の両端に配置することができるように、容器上部５０のベース嵌合端５２とベース嵌合バンド４０の上端４４との間と、そしてまたベース嵌合バンド４０の下端４２と着脱ベース２０の上部嵌合端２４との間にも嵌合接合を配置することも可能である。さらには、ベース嵌合バンド４０を使用せずに、容器上部５０を着脱ベース２０に直接的に嵌合してもよいことは本開示の範囲に含まれると考えられる。例えば、着脱ベース２０と直接的に嵌合するために、容器上部５０のベース嵌合端５２が、嵌合接合（例えば、ネジ接合）を有するように構成されてもよい。
【００２２】
容器上部５０が着脱ベース２０に嵌合されている場合の密封適合を確実に行うために、ベース嵌合バンド４０の下端４２と着脱ベース２０の上部嵌合端２４との間に、容器ガスケット３０を挟んでもよい。容器ガスケット３０は、任意の適切な材料（例えば、ゴム、エチレンプロピレンジエンモノマーゴム、天然ゴム、ネオプレン、ニトリル（ブタジエンアクリロニトリル、ＢＵＮＡ−Ｎ）、スチレンブタジエン（ＳＢＲ、ＢＵＮＡ−Ｓ）、シリコン、天然ゴムなど）から作られた任意の適切な種類のガスケット（例えば、Ｏリングガスケット、Ｌ字ガスケットなど）であってもよい。密封適合を確実に行うために用いられるガスケットの位置、種類または個数は、容器上部５０と着脱ベース２０とを嵌合させるために用いられる特定の嵌合接合の種類または構成に適応するように変更してもよい。
【００２３】
図１に示された例示的な実施形態において、ベース嵌合端４０の下端４２は、上部嵌合端２４に近接して配置されている嵌合縁２６に取り付けられてもよい。
【００２４】
再封式容器１０は、ラッチ６０、プラグガスケット７０、プラグ８０、ラッチ取付けポイント９０及びラッチ穴９２を有する再封式閉止機構をさらに含んでもよい。図１に示された例示的な実施形態は、ラッチ型の再封式閉鎖（例えば、ラッチキャップ）を有して示されているが、例えば、スクリューキャップ、ツイストロックキャップ、ネジキャップなどの任意の適切な再封式閉止機構を使用してもよいことは本開示の範囲に含まれると考えられる。
【００２５】
再封式容器１０は、再封式容器１０の所望の目的に適した、任意の望ましい材料（プラスチック、アルミニウム、ステンレススチールなど）で作られてもよい。好ましい実施形態において、再封式容器１０は、プラスチック（例えば、高密度ポリエチレン（ＨＤＰＥ）、低密度ポリエチレン（ＬＤＰＥ）、ポリプロピレン（ＰＰ）、トリタンなど）で作られてもよい。
【００２６】
再封式容器１０は、所望の用途に適合するような大きさであってよい。例えば、再封式容器１０のサイズは、４〜５１２オンスの範囲であってもよく、必要であれば、さらに大きくてもよい。好ましい実施形態において、再封式容器１０のサイズは、４〜１２８オンスの範囲であってもよい。より好ましい実施形態において、再封式容器１０のサイズは、８、１２、２０、２４または３６オンスであってもよい。
【００２７】
図２は、容器上部５０が着脱ベース２０と嵌合している再封式容器１０の正面図を示している。
【００２８】
図１及び２に示された例示的な実施形態は、嵌合部４６の相対的な位置を、再封式容器１０のベース底部２２から約２／３の位置に示しているが、再封式容器１０の所望の用途に適合するために、嵌合部４６の位置を、ベース底部２２に対して変化させてもよいことは本開示の範囲に含まれると考えられる。
【００２９】
図３は、再封式容器１０の例示的な実施形態の断面図を示しており、超音波溶接１００と、Ｌ字型ガスケットである容器ガスケット３０とを含む嵌合部４６の詳細を示す挿入図を有している。
【００３０】
図４は、再封式容器１０の底面図を示している。
【００３１】
図５は、代替となる形状を有する再封式容器１０の他の実施形態を示しており、超音波溶接１００と、Ｏリング型ガスケットである容器ガスケット３０とを含む嵌合部４６の詳細を示す挿入図を有している。
【００３２】
本開示の好ましい実施形態についての上述の説明は、例示及び説明のために提示されたものである。上述の説明は、網羅的であったり、本開示を開示された形態そのものに限定することを意図していない。上記の教示を踏まえて変更及び変形することが可能であり、あるいは本開示を実施することによって変更及び変形してもよい。上記実施形態は、当業者が本開示を様々な実施形態で利用し、予期される特定の用途に合わせて様々に変更できるよう、本開示の原理及びその実際の用途を説明するために選択され、説明された。本開示の範囲は、添付の請求項及びその均等物によって定義されることが意図されている。
【図面の簡単な説明】
【００３３】
【図１】本開示の例示的な実施形態に係る、着脱ベースを有する再封式容器の分解組立図である。
【図２】本開示の例示的な実施形態に係る、着脱ベースを有する再封式容器の正面図である。
【図３】本開示の例示的な実施形態に係る、着脱ベースを有する再封式容器の側面図であって、着脱ベースを再封式容器に固定するための連結を図示する挿入図を含む。
【図４】本開示の例示的な実施形態に係る、着脱ベースを有する再封式容器の底面図である。
【図５】本開示の他の例示的な実施形態に係る、着脱ベースを有する再封式容器の側面図であって、着脱ベースを再封式容器に固定するための連結を図示する挿入図を含む。
【図６】本開示の他の例示的な実施形態に係る、着脱ベースを有する再封式容器の正面図である。
【図７】本開示の他の例示的な実施形態に係る、着脱ベースを有する再封式容器の側面断面図であって、着脱ベースを再封式容器に固定するための連結を図示する挿入図を含む。
【図１】
2017509555.tif 000003
【図２】
2017509555.tif 000004
【図３】
2017509555.tif 000005
【図４】
2017509555.tif 000006
【図５】
2017509555.tif 000007
【図６】
2017509555.tif 000008
【図７】
2017509555.tif 000009
【国際調査報告】
2017509555.tif 000010
2017509555.tif 000011